(57)【要約】【課題】使用面において有利になるシステムキッチン用収納庫を提供する。【解決手段】  ケーシング内に収納した収納状態と前方側へ引き出した開放状態とに移動自在な引出し７を備え、該引き出し７が、前側に位置して引き出し操作自在な扉体１８と、該扉体１８の後方に連結され、上方から収納物を収納可能な開口を備えた第１収納体１９と、この第１収納体１９の後側位置に該第１収納体１９の下方に収納空間Ｓを残した状態で載置可能な第２収納体２０とを備え、前記ケーシングＫ内から引き出しを引き出し操作するに伴って、前記第２収納体２０が前記第１収納体１９とともに引き出されるように構成されている。【選択図】図２
2009006045.tif 000002
【特許請求の範囲】
【請求項１】
ケーシング内に収納した収納状態と前方側へ引き出した開放状態とに移動自在な引出しを備え、該引き出しが、前側に位置して引き出し操作自在な扉体と、該扉体の後方に連結され、上方から収納物を収納可能な開口を備えた第１収納体と、この第１収納体の後側位置に該第１収納体の下方に収納空間を残した状態で載置可能な第２収納体とを備え、前記ケーシング内から引き出しを引き出し操作するに伴って、前記第２収納体が前記第１収納体とともに引き出されるように構成されていることを特徴とするシステムキッチン用収納庫。
【請求項２】
前記引き出しを引き出した開放状態において、前記第２収納体を前記ケーシング内に収納できるように該第２収納体を支持する支持部を該ケーシング内に備え、前記第１収納体を前記ケーシング内に押し込んだ状態で、前記第２収納体が該第１収納体上に載置され、該ケーシング内に押し込まれた該第１収納体を引き出すとともに第２収納体が引き出されるように構成したことを特徴とする請求項１記載のシステムキッチン用収納庫。
【請求項３】
前記第２収納体を前記ケーシング内に押し込んだ状態では、前記第２収納体が前記第１収納体上に載置されている高さ位置よりも低い位置で前記支持部にて支持されていることを特徴とする請求項２記載のシステムキッチン用収納庫。
【請求項４】
前記第１収納体を前記ケーシング内に押し込む際に、前記第２収納体と接当して該第２収納体を上方へ持ち上げるための案内部を該第１収納体に備えていることを特徴とする請求項２又は３記載のシステムキッチン用収納庫。
【請求項５】
前記第１収納体上に前記第２収納体を載置した状態において引き出し操作時に伴って該第２収納体が該第１収納体とともに引き出されるべく、該第２収納体に備えた被係止部に係止する係止解除自在な係止部を、該第１収納体に備えさせたことを特徴とする請求項１〜４のいずれかに記載のシステムキッチン用収納庫。
【請求項６】
前記第１収納体が、前記扉体の後面に前端部が連結されるほぼ矩形状の底壁部と、この底部の左右縁部から上方に立ち上げられた左右一対の縦壁部と、該底壁部の後端部から上方に立ち上げられた後壁部とからなり、前記左右一対の縦壁部の上端に前記第２収納体の左右両側下面を載置支持する載置部を備え、該載置部に、前記第２収納体に備えさせた被係止部に係止する係止部を備えたことを特徴とする請求項５記載のシステムキッチン用収納庫。
【請求項７】
前記第２収納体が、上方が開放された平面視ほぼ矩形状の箱型でなり、該第２収納体を構成する左右側壁の上端に左右方向外方側へ突出する鍔部を備え、前記支持部が、該左右の鍔部に対して下方から載置支持するために前記ケーシングの左右の側壁に前後方向に沿って取り付けられたガイドレールからなることを特徴とする請求項２又は３記載のシステムキッチン用収納庫。
【請求項８】
前記案内部が、前記第２収納体の左右の前端角部に接当するべく、前記第１収納体の左右の後端に備えられた接当部からなり、前記前端角部が、斜め下方で左右方向外側に向くように湾曲突出させた突出部からなり、前記接当部が、前記突出部を受止めるべく、凹んだ湾曲面を有する受止め部からなることを特徴とする請求項４記載のシステムキッチン用収納庫。
【発明の詳細な説明】
【技術分野】
【０００１】
本発明は、特にシステムキッチンに組み込まれて使用されるシステムキッチン用収納庫に関する。
【背景技術】
【０００２】
上記システムキッチン用収納庫においては、例えばシンク下のキャビネット空間を物品の出し入れ可能な収納乾燥庫として構成し、その収納乾燥庫内に引出しを備え、該引き出しが、前側に位置して引き出し操作自在な扉体と、該扉体の後方に連結され、上方から収納物を収納可能な開口を備えた第１収納体と、この第１収納体の前側位置に該第１収納体の下方に収納空間を残した状態で載置可能な第２収納体とを備え、前記ケーシング内から引き出しを引き出し操作するに伴って、前記第２収納体が前記第１収納体とともに引き出されるように構成されている（例えば、特許文献１参照）。
【特許文献１】特開２００５−２４５７００号公報（図２，図３参照）
【発明の開示】
【発明が解決しようとする課題】
【０００３】
上記特許文献１の構成の引出しを引き出し操作することにより、第２収納体が第１収納体とともに引き出される構成であることから、引出し時の操作性の向上を図ることができるものの、第１収納体の前側位置に第２収納体が載置されているため、第１収納体に収納されている収納物を取り出す場合や収納物を確認したい場合には、第１収納体を引き出してから、第２収納体を収納乾燥庫内に押し込むことにより、第１収納体の上方を常に開放状態にしなければならないだけでなく、扉の引き出し方向と第２収納体の押し込み方向とが互いに逆になる操作（引出し操作と押し込み操作）を要することから、それらの操作が手間のかかる煩わしいものになっていた。因みに、前記頻繁に使用するものを第２収納体に収納すれば、前記手間を軽減することが考えられるが、第２収納体は収納容積が小さいことから、小物類しか収納することができず、依然として使用面においては不利な構成であった。
【０００４】
本発明は前述の状況に鑑み、解決しようとするところは、使用面において有利になるシステムキッチン用収納庫を提供するものである。
【課題を解決するための手段】
【０００５】
本発明のシステムキッチン用収納庫は、前述の課題解決のために、ケーシング内に収納した収納状態と前方側へ引き出した開放状態とに移動自在な引出しを備え、該引き出しが、前側に位置して引き出し操作自在な扉体と、該扉体の後方に連結され、上方から収納物を収納可能な開口を備えた第１収納体と、この第１収納体の後側位置に該第１収納体の下方に収納空間を残した状態で載置可能な第２収納体とを備え、前記ケーシング内から引き出しを引き出し操作するに伴って、前記第２収納体が前記第１収納体とともに引き出されるように構成されていることを特徴としている。
上記のようにケーシング内から引き出しを引き出し操作するに伴って、第２収納体が第１収納体とともに引き出される。そして、引き出された第１収納体の前側の上方は開放されているから、第２収納体を第１収納体から取り除かなくても、第１収納体の前側に収納されている収納物を直ちに確認して取り出すことができる。しかも、第１収納体の収納体積は、第２収納体の体積に比べて大きなものであるから、ボトル等の大型収納物を第１収納体に収納することができる。
【０００６】
前記引き出しを引き出した開放状態において、前記第２収納体を前記ケーシング内に収納できるように該第２収納体を支持する支持部を該ケーシング内に備え、前記第１収納体を前記ケーシング内に押し込んだ状態で、前記第２収納体が該第１収納体上に載置され、該ケーシング内に押し込まれた該第１収納体を引き出すとともに第２収納体が引き出されるように構成されていてもよい。
【０００７】
前記第２収納体を前記ケーシング内に押し込んだ状態では、前記第２収納体が前記第１収納体上に載置されている高さ位置よりも低い位置で前記支持部にて支持されていてもよい。
【０００８】
前記第１収納体を前記ケーシング内に押し込む際に、前記第２収納体と接当して該第２収納体を上方へ持ち上げるための案内部を該第１収納体に備えていてもよい。
【０００９】
前記第１収納体上に前記第２収納体を載置した状態において引き出し操作時に伴って該第２収納体が該第１収納体とともに引き出されるべく、該第２収納体に備えた被係止部に係止する係止解除自在な係止部を、該第１収納体に備えさせてもよい。
【００１０】
前記第１収納体が、前記扉体の後面に前端部が連結されるほぼ矩形状の底壁部と、この底部の左右縁部から上方に立ち上げられた左右一対の縦壁部と、該底壁部の後端部から上方に立ち上げられた後壁部とからなり、前記左右一対の縦壁部の上端に前記第２収納体の左右両側下面を載置支持する載置部を備え、該載置部に、前記第２収納体に備えさせた被係止部に係止する係止部を備えさせてもよい。
【００１１】
前記第２収納体が、上方が開放された平面視ほぼ矩形状の箱型でなり、該第２収納体を構成する左右側壁の上端に左右方向外方側へ突出する鍔部を備え、前記支持部が、該左右の鍔部に対して下方から載置支持するために前記ケーシングの左右の側壁に前後方向に沿って取り付けられたガイドレールから構成されていてもよい。
【００１２】
前記案内部が、前記第２収納体の左右の前端角部に接当するべく、前記第１収納体の左右の後端に備えられた接当部からなり、前記前端角部が、斜め下方で左右方向外側に向くように湾曲突出させた突出部からなり、前記接当部が、前記突出部を受止めるべく、凹んだ湾曲面を有する受止め部から構成されていてもよい。
【発明の効果】
【００１３】
ケーシング内から引き出しを引き出し操作する１回の操作だけで、第２収納体が第１収納体とともに引き出されて、第２収納体に収納された収納物を取り出すことができることは勿論のこと、第１収納体に収納されている収納物も第１収納体の前側の上方を通して直ちに確認して取り出すことができる。しかも、頻繁に取り出したいボトル等の大型収納物でも第１収納体に収納しておくことができ、使用面において有利になるシステムキッチン用収納庫を提供することができる。
【００１４】
前記引き出しを引き出した開放状態において、前記第２収納体を前記ケーシング内に収納できるように該第２収納体を支持する支持部を該ケーシング内に備え、前記第１収納体を前記ケーシング内に押し込んだ状態で、前記第２収納体が該第１収納体上に載置され、該ケーシング内に押し込まれた該第１収納体を引き出すとともに第２収納体が引き出されるように構成されている場合には、第２収納体を支持部にて前記ケーシング内に収納できるから、第２収納体の真下に収納されている収納物を容易迅速に取り出すことができながらも、ケーシング内に収納状態の第２収納体を第１収納体上に載置するための操作をしなくても、第１収納体をケーシング内に押し込んでから、第１収納体を引き出すことにより、第２収納体が第１収納体とともに引き出され、余分な操作を不要にすることができ、更に使用面において有利になる。
【００１５】
前記第２収納体を前記ケーシング内に押し込んだ状態では、前記第２収納体が前記第１収納体上に載置されている高さ位置よりも低い位置で前記支持部にて支持される構成である場合には、高い位置にある支持部に第２収納体を持ち上げながら支持させる構成に比べて操作力の軽減を図ることができ、この点においても使用面において有利になる。
【００１６】
前記第１収納体を前記ケーシング内に押し込む際に、前記第２収納体と接当して該第２収納体を上方へ持ち上げるための案内部を該第１収納体に備えている場合には、第１収納体をケーシング内に押し込むだけで、案内部にて第２収納体が持ち上げられ、第１収納体上に第２収納体を載置させることができ、この点においても、使用面において有利になる。
【００１７】
前記第１収納体上に前記第２収納体を載置した状態において引き出し操作時に伴って該第２収納体が該第１収納体とともに引き出されるべく、該第２収納体に備えた被係止部に係止する係止解除自在な係止部を、該第１収納体に備えさせている場合には、第２収納体に備えた被係止部に第１収納体に備えた係止部が係止することによって、引き出し操作時に伴って該第２収納体が第１収納体とともに確実に引き出される利点がある。
【００１８】
前記案内部が、前記第２収納体の左右の前端角部に接当するべく、前記第１収納体の左右の後端に備えられた接当部からなり、前記前端角部が、斜め下方で左右方向外側に向くように湾曲突出させた突出部からなり、前記接当部が、前記突出部を受止めるべく、凹んだ湾曲面を有する受止め部から構成されている場合には、突出部に受止め部が接当する時の衝撃力を緩和することができ、引出しをスムーズに押し込み操作することができる。
【発明を実施するための最良の形態】
【００１９】
図１に、本発明の収納庫としての保冷庫７を組み込んだシステムキッチンを示している。前記システムキッチンは、ＩＨクッキングヒータ１を上部に備えたヒータキャビネット２と、米等の穀物や乾物あるいは調味料等の収納物を室温よりも少し低い温度、例えば１０℃前後で保管することができる保冷庫７と、蛇口Ｊ及び流し台３を上部に備えたシンクキャビネット４と、一段低くなった作業スペース用の凹部５が上部に備えた作業台用キャビネット６とを左右方向に併設しているが、これらのキャビネットに代えて、他のキャビネットを併設してもよい。又、前記保冷庫７の下方には、スライド自在な引出し８を備えているが、無くてもよい。尚、保冷庫７の庫内の冷却温度は、１１度と１３度と１５度の３段階で設定できるようになっているが、２段階又は４段階以上あるいは無段階に設定できるようにしてもよい。ここでは、保冷庫を示しているが、保冷機能を備えていない収納庫であってもよい。
【００２０】
図２〜図５に示すように、前記保冷庫７は、前記ケーシングＫ内に収納された収納状態と前方側へ引き出された開放状態とに移動自在な引出し１７を備え、該引き出し１７が、前側に位置して引き出し操作自在な扉体１８と、該扉体１８の後方に連結され、上方から収納物を収納可能な開口１９Ｋを備えた第１収納体１９と、この第１収納体１９の後側位置に下方に収納空間Ｓを残した状態で載置可能な主として小物を収納するための第２収納体２０とを備え、図２に示すように、前記ケーシングＫ内から引き出し１７を引き出し操作するに伴って、前記第２収納体２０が前記第１収納体１９とともに引き出されるように構成されている。尚、前記第２収納体２０は第１収納体１９に単に載置しているだけであるから、第２収納体２０を第１収納体１９から持ち上げて第２収納体２０そのものを取り出すことができるようになっている。前記第１収納体１９の後側位置に、米を入れておくための容器である米びつ２１が収納され、図示していないが、第１収納体１９の前側位置にボトル等の背の高い大型の収納物を収納することができ、ケーシングＫ内から引き出し１７を引き出し操作するだけで、第１収納体１９の前側に収納された収納物を直ちに視認することができるだけでなく、取り出すことができるようになっている。尚、前記第１収納体１９の収納空間をどのように利用してもよい。
【００２１】
前記第１収納体１９が、図３〜図５に示すように、前記扉体１８の後面に固定され、扉体１８の上端よりも低い上端を有する横長状の前壁部１９Ｅ（補強用として備えているが、無くてもよい）と、この前壁部１９Ｅの下端部から後方へ伸びるほぼ矩形状の底壁部１９Ａと、この底壁部１９Ａの左右縁部から上方に扉体１８の上端よりも低い上端でかつ前壁部１９Ｅの上端と同一高さになるように立ち上げられた左右一対の縦壁部１９Ｂ，１９Ｃと、該底壁部１９Ａの後端部から上方に立ち上げられ、左右一対の縦壁部１９Ｂ，１９Ｃの上端よりも低い上端に構成された後壁部１９Ｄとからなり、前記左右一対の縦壁部１９Ｂ，１９Ｃの後側上端に前記第２収納体２０の左右両側下面を載置支持する載置部１９ｂ，１９ｃを備えている。そして、前記載置部１９ｂ，１９ｃを縦壁部１９Ｂ，１９Ｃの前側上端部１９ｄ，１９ｅよりも低い位置に設定し、載置部１９ｂ，１９ｃの前端部には、第２収納体２０が前側へ移動することを阻止するための段部（上下壁）１９Ｈ，１９Ｈ（図３に左側のみ図示している）を備えている
【００２２】
前記第２収納体２０は、図５にも示すように、上方が開放された平面視ほぼ矩形状の箱型に構成されている。つまり、矩形状の底板部２０Ａと、この底板部２０Ａの外周の４辺からそれぞれ上方に立ち上げられた前側板部２０Ｂ、左右の側板部２０Ｃ，２０Ｄ、後側板部２０Ｅとから構成され、該第２収納体２０を構成する左右側板部２０Ｃ，２０Ｄの上端に左右方向外方側へ突出する鍔部２０ｃ，２０ｄを備えており、図２で示している支持部としての左右一対のガイドレールＧ，Ｇ（図では左側のみ図示）に前記鍔部２０ｃ，２０ｄを載置支持させることにより、引出し１７を引き出した開放状態において、第２収納体２０をケーシングＫ内に収納（位置）させることで、第２収納体２０の下方に収納された米びつ２１から米を取り出すことができるようになっている。図９にも示すように、前記鍔部２０ｃ，２０ｄの下面には、前後一対の側面視半円状の突起２０Ｆ，２０Ｆを備えており、ガイドレールＧ，Ｇ上を摺接抵抗の少ない状態でスライドさせることができるようになっている。
【００２３】
前記第２収納体２０を前記ケーシングＫ内に押し込んだ状態では、前記第２収納体２０が前記第１収納体１９上に載置されている高さ位置よりも低い位置で前記ガイドレールＧ，Ｇにて支持されるようにガイドレールＧ，Ｇの上下方向での位置（高さ）を設定している。つまり、図１３に示すように、αの高さ分だけ載置部１９ｂから下がった位置に第２収納体２０の底面２０Ｗが位置することになる。前記ガイドレールＧ，Ｇは、図６にも示すように、ケーシングの側壁を内側に突出させて形成して構成されているが、別体形成されたガイドレールをケーシングの側壁に取り付けた構成であってもよい。
【００２４】
図６に示すように、前記第１収納体１９を前記ケーシングＫ内に押し込む際に、前記第２収納体２０と接当して該第２収納体２０を上方へ持ち上げるための案内部１９Ｆを該第１収納体１９に備えている。前記案内部１９Ｆが、前記第２収納体２０の左右の前端角部２０Ｘ，２０Ｘに接当するべく、前記第１収納体１９の左右の後端に備えられた接当部からなり、前記前端角部２０Ｘ，２０Ｘが、斜め下方で左右方向外側に向くように湾曲突出させた突出部からなり、前記接当部１９Ｆ，１９Ｆが、前記突出部２０Ｘ，２０Ｘを受止めるべく、凹んだ湾曲面を有する受止め部から構成しており、ケーシングＫ内に押し込まれた第２収納体２０の前端角部２０Ｘ，２０Ｘに、押し込まれる第１収納体１９の接当部１９Ｆ，１９Ｆが接当するときの衝撃力が小さくなるようにしている。前記第２収納体２０の前端角部又は第１収納体１９の左右の後端に、ゴムローラを備えさせて、接当時の衝撃力をゴムローラにて吸収することができるようにしてもよい。
【００２５】
図７及び図８に示すように、前記第１収納体１９上に前記第２収納体２０を載置した状態において引き出し操作時に伴って該第２収納体２０が該第１収納体１９とともに引き出されるべく、該第２収納体２０に備えた被係止部に係止する係止解除自在な係止部を、該第１収納体１９に備えさせて、第１収納体１９の引き出し時に第２収納体２０を確実に引き出すことができるようにしているが、それら被係止部と係止部とを省略して実施することもできる。前記第２収納体２０に備えた被係止部は、前記左右の側板部２０Ｃ，２０Ｄの下端の前後方向２箇所に、斜め下方で左右方向外側に向くように突出形成した突出部２０Ｔ，２０Ｔからなり、前記第１収納体１９に備えた係止部は、第１収納体１９の載置部１９ｂ，１９ｃに上方に突出する突起部１９Ｔからなり、第２収納体２０が第１収納体１９に載置された状態で、前側に位置する突出部２０Ｔの後側に突起部１９Ｔが位置することにより、引出し時において突起部１９Ｔが突出部２０Ｔに接当して第２収納体２０を第１収納体１９とともに一体的に移動させることができるようになっているが、被係止部と係止部とを、上下方向で係止可能な凹部と凸部とから構成することもできる。又、第１収納体１９の載置部１９ｂ，１９ｃを前方側ほど下方に下がる前下がり傾斜面にすることによって、被係止部と係止部とを省略して実施することもできる。
【００２６】
前記米びつ２１は、背の低い立方体形状からなり、米を上方から挿入することができるように上方が開放された箱型の米びつ本体２１Ａと、この米びつ本体２１Ａの上方を覆う上面がほぼフラットに構成されたカバー部材２１Ｂからなり、このカバー部材２１Ｂは、米びつ本体２１Ａに固定される固定部２１ｂと、この固定部２１ｂに対して水平軸芯周りで揺動開放自在な可動蓋体２１ａとから構成されているが、他の構成であってもよい。
【００２７】
例えば、前記保冷庫７内に収納された米びつ２１内の米を取り出す一連の流れを説明すれば、まず、図１、図３及び図７に示す収納状態になっている引出し７を前方側へ引き出す。この場合、図６に示すように、第２収納体２０の鍔部２０ｃ，２０ｄがガイドレールＧ，Ｇの上方に位置していることから、該鍔部２０ｃ，２０ｄの突起２０Ｆ，２０Ｆが該ガイドレールＧ，Ｇから浮いた状態になり、第１収納体１９上に載置されている第２収納体２０が第１収納体１９とともに引き出されることになる。そして、前述のように、突起部１９Ｔが突出部２０Ｔに接当することにより、第１収納体１９とともに第２収納体２０を確実に引き出せるようになっている。図８では、引出し７が完全に引き出された開放状態を示している。この状態では、第２収納体２０に収納されている収納物を取り出したり、第１収納体１９の前側に収納している収納物を取り出すことができる。
【００２８】
次に、第１収納体１９上に載置されている第２収納体２０をこれの前方側上端に備えている取っ手部２０Ｈを掴んで後方側へ移動させることによって、前記ガイドレールＧ，Ｇに第２収納体２０の鍔部２０ｃ，２０ｄが載置支持されることにより、第２収納体２０をケーシングＫ内に収納することができるようになっている（図１３の拡大図にて鍔部２０ｃ，２０ｄの突起２０Ｆ，２０ＦがガイドレールＧ，Ｇ上面に載置されている状態を示している）。尚、前記第２収納体２０をケーシングＫ側へ移動させる場合には、突起部１９Ｔから突起２０Ｔが上方へ外れる位置まで第２収納体２０の前方側を少し持ち上げながら後方へ移動させることになる。図９では、第２収納体２０をケーシングＫ内へ移動している途中を示し、図１０及び図１１では、第２収納体２０をケーシングＫ内への移動が完了した状態を示している。この状態では、第１収納体１９上が開放された状態となり、米びつ２１が現出するとともにそれの可動蓋体２１ａを開放操作することができるようになっている。そして、図１２及び図１３に可動蓋体２１ａを開放にした状態を示し、この状態で米びつ２１の中の米を取り出してから、可動蓋体２１ａを開放にした状態のまま、引き出し７を収納状態側へ移動することにより、可動蓋体２１ａが第２収納体２０の前端に接当し、図１４の２点鎖線から実線に示すように、可動蓋体２１ａが閉じ側へ操作され、引き出し７を収納状態にした時点では、可動蓋体２１ａが閉じた状態になるように構成している。図１０及び図１２では、保冷庫７の下方にある引出し８も引き出した状態を示している。
【００２９】
前記保冷庫７は、図３に示すように、収納物を保冷するための保冷室Ｈと、その保冷室Ｈを冷やすための冷却部９と、該冷却部９を空冷するための空気流路１０とを備え、該空気流路１０中に備えられ、前記冷却部９に空気を強制的に当てるための冷却ファン１１を、それの回転軸芯Ｘ１が該空気流路１０に対して交差する方向となる傾斜した状態（図３では４０度傾斜した状態を示しているが、何度であってもよい）で配置して、システムキッチン用保冷庫を構成している。
上記のように冷却ファン１１を、それの回転軸芯Ｘ１が該空気流路１０に対して交差する方向となる傾斜した状態で配置することによって、例えば破線で示しているように冷却ファン１２の回転軸芯Ｘ２が空気流路１０の方向と同一となる状態で配置する場合に比べて、大型の冷却ファン１１を用いることができる。従って、冷却ファン１１の回転数を下げても、能力の大きい冷却ファン１１であるから、それの風量を前記冷却ファン１２の風量と同一もしくはそれよりも多くすることができる利点がある。
【００３０】
前記保冷室Ｈは、外側に位置するケーシングＫの内側に断熱材Ｄにて前方を除いた上側、下側、左側、右側、後側の５面を覆う断熱部１３と、この断熱部１３の前方開口を閉じる扉体１８（後述する）にて構成されているが、保冷室Ｈの形状及び具体的構成は、図３に示すものに限定されるものではない。前記断熱部１３は、保冷室Ｈの内側面を形成するための内側部材２４と後述する空気流路１０を形成するための流路形成部材２５とで断熱材Ｄを覆うことで構成されている。
【００３１】
前記冷却部９が、前記断熱部１３の後側壁に貫通させて固定されたペルチェユニット１４と、このペルチェユニット１４を構成する保冷室Ｈ内に位置させた冷却フィン１４Ａからの放熱をアルミ製のブロック１４Ｂを介して排出するために保冷室Ｈ外に位置させた放熱フィン１５とからなり、前記保冷室Ｈ外に突出させた放熱フィン１５を、保冷室Ｈと前記ケーシングＫとの間に形成された前記空気流路１０内に配置し、前記放熱フィン１５に４０度に傾けた前記冷却ファン１１からの空気を当てるようにしている。前記冷却ファン１１は、モータ１１Ａの回転軸の先端に取り付けられた複数枚の羽１１Ｂと、この羽１１Ｂを覆うとともにモータ１１Ａを取付支持するためのカバー部１１Ｃとからなっているが、カバー部１１Ｃを省略してもよい。図３に示す１６は、前記冷却フィン１４Ａに風を送って保冷室Ｈ内を満遍なく冷却するためのファンである。前記冷却部９を、設置スペースが少なく、可動部を有さないペルチェユニットから構成したが、ペルチェユニット以外の電子冷却素子を組み込んだ構成にしてもよい。
【００３２】
図３に示すように、前記空気流路１０が、前記保冷室Ｈの下側において前方から後方へ向かって水平で直線状に伸びる第１流路１０Ａと、この第１流路１０Ａの後端から前記保冷室Ｈの後側を通って上方まで垂直に伸びる第２流路１０Ｂと、この第２流路の上端から前記保冷室の上側を通って前方まで水平で直線状に伸びる第３流路１０Ｃから構成することによって、保冷室Ｈの外側周囲の３面を有効に利用することができるが、例えば保冷室Ｈの上側において前方から後方へ向かい、それから真下に排出されるように保冷室Ｈの外側周囲の２面のみを利用してもよく、空気流路１０の向き及び経路の長さは自由に変更することができる。又、保冷室Ｈの外側周囲のうちの左右両側面（２面）と上面の３面を利用することもできる。前記空気流路１０は、前記流路形成部材２５により形成され、その流路形成部材２５は、断面形状矩形状（実際は左右方向に長い横長状）に形成され、開放端側が上端前方に位置する袋状に構成している。そして、前記流路形成部材２５の下側の水平部分の前方下面に、空気流路１０内に空気を取り入れるための開口２５Ａを形成している。又、前記流路形成部材２５の上側前端部開口端には、左右一対の開口２７，２７を備えた開口形成用部材２８を備え、それら開口２７，２７のそれぞれには、開口２７を左右方向で多数に仕切るための縦長状の多数の仕切板２９を備えている。前記開口２７，２７から排出される空気は、該左右一対の開口２７，２７に対応して備えられ、前記扉体１８の上端に取り付けられた開口部材３０に形成された左右一対の開口３１，３１を通して排出されるようになっている。前記開口３１，３１のそれぞれには、前記と同様に開口３１を左右方向で多数に仕切るための縦長状の多数の仕切板３２を備えている。又、前記空気流路１０を前記各開口２７の左右幅と同一の左右幅に構成し、それら開口２７，２７に対応して左右一対の空気流路１０，１０を備えさせて実施することが好ましい。又、前記開口部材３０の開口３１，３１間に取っ手を構成する凹部３１Ａを形成して、別体構成された取っ手を扉体１８に前方側へ出っ張った状態で設ける場合に比べて、意匠感を高めることができるようになっているが、別体構成された取っ手を取り付けてもよい。
【００３３】
前記のように保冷室Ｈの後側に前記空気流路１０の少なくとも一部、つまり前記第２流路１０Ｂが設けられ、その第２流路１０Ｂ内に前記冷却ファン１１を配置することによって、騒音にとって有利な保冷室Ｈの奥側（後側）に冷却ファン１１を配置しているが、場合によっては前側に設けてもよい。この場合、放熱フィン１５の位置を冷却ファン１１の位置に合わせて変更することになる。
【００３４】
図示していないが、前記空気流路１０を、断面形状が左右方向に長い横長状に構成し、該横長状の空気流路１０に前記冷却ファン１１の複数を左右方向に並べて配置することによって、保冷庫７が上下方向に大型化することを抑制しながらも、空気流路１０の体積を効率よく増大させることができながらも、冷却ファン１１も同時に空気流路１０の左右幅に応じて増やすことができ、冷却効率を高めることができる。前記空気流路１０の左右寸法は、どのように設定してもよいが、例えば図１に示す保冷庫７の左右幅寸法に合致させる場合が好ましい。前記空気流路１０を単数又は左右方向に複数併設して実施することもできる。ここでは、冷却ファン１１のみを設けて空気流路１０内での空気の移動も行う構成を示しているが、空気流路１０内に、空気を移動させるための送風ファンを単数又は複数設けて実施することによって、更に冷却効率を高めるようにしてもよい。
【００３５】
前記第１流路１０Ａから前記第３流路１０Ｃまでの左右幅寸法を同一に設定している。又、図３に示すように、前記保冷庫７の下方に引き出し８を配置している関係上、後側のスペースを比較的取り易いことから、前記第１流路１０Ａの高さ寸法Ｔ１よりも前記第２流路の奥行き方向の寸法Ｔ２を大きく設定することができ、その大きく設定された第２流路１０Ｂ内に大型の冷却ファン１１を配置することができるようにしているが、Ｔ１とＴ２は同一寸法であってもよい。図３では、第２流路１０Ｂの奥行き方向の寸法Ｔ２を第１流路１０Ａの高さ寸法Ｔ１よりも大きくした関係上、排気をスムーズにするために、第３流路１０Ｃの高さ寸法Ｔ３を第１流路１０Ａの高さ寸法Ｔ１よりも大きくし、しかも保冷庫７の上下寸法の大型化を抑制するために、第３流路１０Ｃの高さ寸法Ｔ３を第２流路の奥行き方向の寸法Ｔ２よりも小さく設定しているが、第３流路１０Ｃの高さ寸法Ｔ３と第２流路の奥行き方向の寸法Ｔ２とを同一にして実施することもできる。
【００３６】
前記空気流路１０へ空気を取り入れる空気取入れ口２２を、前記引出し８を構成する扉２３の下部の前面に備え、前記空気取入れ口２２から取り入れた空気が上方まで移動し、扉２３の上端に形成した開口２３Ａを通して排出するとともに、該開口２３Ａに対向位置して形成された前記開口２５Ａにて排出された空気を受けることができるようになっている。つまり、前記空気取入れ口２２を前記空気流路１０に連通する状態で形成している。前記空気取入れ口２２から取り入れた空気を浄化するためのエアフィルタ２６を前記第１流路１０Ａの始端部に備え、該エアフィルタ２６をそれの空気通過面２６Ａが該空気流路１０に対して交差する方向となる傾斜（ほぼ４５度であるが、何度に設定してもよい）した状態で配置している。尚、空気通過面２６Ａは傾斜姿勢となっているが、エアフィルタ２６の通過方向、つまり網目にて形成される空気が流れる方向は、エアフィルタ２６の手前における空気の流れる方向と同一方向（平行となる方向）にして、通過する空気に対してエアフィルタ２６が抵抗となることを防止できるようにして好ましいが、エアフィルタ２６の通過方向を空気の流れる方向と交差する方向であってもよい。前記エアフィルタ２６を空気取入れ口２２に設けて実施することもできる。尚、前記引出し８を前方へ引き出した状態では、前記流路形成部材２５に形成した開口２５Ａが空気取入れ口となり、その開口２５Ａから直接空気を取り入れることになる。前記扉２３の下部から空気を取り入れて空気流路１０へ受け渡すようにしているが、扉体１８の前面（前面の下側又は上側のいずれでもよい）に空気取り入れ口を備えて実施してもよい。尚、前記扉２３の後面には、上方から収納物を収納可能な上方が開放された箱型の収納部２３Ｂが連結されている。
【図面の簡単な説明】
【００３７】
【図１】システムキッチンの斜視図である。
【図２】保冷庫の扉体を開いた状態のシステムキッチンの斜視図である。
【図３】保冷庫の縦断側面図である。
【図４】保冷庫の引出しを示す斜視図である。
【図５】保冷庫の第１収納体に米びつと第２収納体を配置する前の斜視図である。
【図６】扉体を省略した保冷庫の正面図である。
【図７】扉体を閉じた状態を示す保冷庫の側面図である。
【図８】扉体を引き出した状態を示す保冷庫の側面図である。
【図９】扉体を引き出してから第２収納体をケーシング内に収納している状態を示す保冷庫の側面図である。
【図１０】扉体を引き出してから第２収納体をケーシング内に収納した状態を示す保冷庫の斜視図である。
【図１１】扉体を引き出してから第２収納体をケーシング内に収納した状態を示す保冷庫の側面図である。
【図１２】扉体を引き出してから第２収納体をケーシング内に収納し、米びつの蓋を開放した状態を示す保冷庫の斜視図である。
【図１３】扉体を引き出してから第２収納体をケーシング内に収納し、米びつの蓋を開放した状態を示す保冷庫の側面図である。
【図１４】扉体を閉じ操作している状態を示す保冷庫の側面図である。
【符号の説明】
【００３８】
１…クッキングヒータ、２…ヒータキャビネット、３…流し台、４…シンクキャビネット、５…凹部、６…作業台用キャビネット、７…保冷庫、８…引出し、９…冷却部、１０…空気流路、１１…冷却ファン、１１Ａ…モータ、１１Ｂ…羽、１１Ｃ…カバー部、１２…冷却ファン、１３…断熱部、１４…ペルチェユニット、１４Ａ…冷却フィン、１５…放熱フィン、１６…ファン、１７…引出し、１８…扉体、１９…第１収納体、１９Ａ…底壁部、１８Ｂ，１９Ｃ…縦壁部、１９Ｄ…後壁部、１９Ｅ…前壁部、１９Ｆ…案内部（接当部）、１９Ｋ…開口、１９Ｔ…突起部、１９ｂ，１９ｃ…載置部、１９ｄ，１９ｅ…前側上端部、２０…第２収納体、２０Ａ…底板部、２０Ｂ…前側板部、２０Ｃ，２０Ｄ…側板部、２０Ｅ…後側板部、２０Ｈ…取っ手、２０Ｔ…突出部、２０Ｘ…前端角部（突出部）、２１…米びつ、２１Ａ…米びつ本体、２１Ｂ…カバー部材、２１ａ…可動蓋体、２１ｂ…固定部、２２…空気取入れ口、２３…扉、２３Ａ…開口、２３Ｂ…収納部、２４…内側部材、２５…流路形成部材、２５Ａ…開口、２６…エアフィルタ、２６Ａ…空気通過面、２７…開口、２８…開口形成部材、２９…仕切板、３０…開口部材、３１…開口、３１Ａ凹部、３２…仕切板、Ｄ…断熱材、Ｇ…ガイドレール、Ｈ…保冷室、Ｊ…蛇口、Ｋ…ケーシング、Ｓ…収納空間、Ｔ１，Ｔ２，Ｔ３寸法、Ｘ１回転軸芯
【図１】
2009006045.tif 000003
【図２】
2009006045.tif 000004
【図３】
2009006045.tif 000005
【図４】
2009006045.tif 000006
【図５】
2009006045.tif 000007
【図６】
2009006045.tif 000008
【図７】
2009006045.tif 000009
【図８】
2009006045.tif 000010
【図９】
2009006045.tif 000011
【図１０】
2009006045.tif 000012
【図１１】
2009006045.tif 000013
【図１２】
2009006045.tif 000014
【図１３】
2009006045.tif 000015
【図１４】
2009006045.tif 000016